(57)【要約】【課題】観察者が画像を見る位置が上下に移動しても、明るい鮮明な画像が得られる画像表示装置を提供する。【解決手段】液晶表示パネル８０４と、液晶表示パネルに光を照射する光源８０１と、光源から放射された光を左右各々の目に到達する方向に屈折させる光学手段８１２と、液晶表示パネルと光源との間に配置され、前記特定の偏光の光を透過する第１領域８０２ａと、当該特定の偏光の光と直交する偏光の光を透過する第２領域８０２ｂとが、横方向に繰り返して設けられたフィルタ８０２と、を備える画像表示装置であって、光源は、特定の偏光の光を発生する第１光源８０１ａと、当該第１光源が発生する光の偏光と直交する偏光の光を発生する第２光源８０１ｂとを、液晶パネルの略中央部から左右対称な位置に個別に配置して構成し、光学手段は、一方の光源からの光は左目に、他方の光源からの光は右目に届くよう屈折させる。【選択図】  図１
2004233462.tif 000002
【特許請求の範囲】
【請求項１】
後方から照射された光を透過可能な液晶表示パネルと、
特定の偏光である第１の光と、前記第１の光と偏光軸が直交する第２の光とを、前記液晶表示パネルに照射する光源と、
前記光源から放射された光を左右各々の目に到達する方向に屈折させる光学手段と、
前記液晶表示パネルと前記光源との間に配置され、前記第１の光を透過する第１領域と、前記第２の光を透過する第２領域とが、一定方向に繰り返して設けられた縞状フィルタと、
前記液晶表示パネルの通電時又は非通電時のいずれかにおいて、前記液晶表示パネルを透過する光を遮断する偏光特性を有する偏光板と、を備える画像表示装置であって、
前記縞状フィルタは、前記第１領域と前記第２領域とが横方向に繰り返して設けられて成り、
前記光源は、前記第１の偏光の光を発生する第１光源と、前記第２の偏光の光を発生する第２光源とを、前記液晶パネルの略中央部から左右対称な位置に個別に配置して構成し、
前記光学手段は、前記第１光源及び前記第２光源から発生する光を、一方の光源からの光は左目に、他方の光源からの光は右目に届くよう屈折させることを特徴とする画像表示装置。
【請求項２】
前記第１光源及び第２光源は、縦長形状であることを特徴とする請求項１に記載の画像表示装置。
【請求項３】
前記光学手段は、前記液晶パネル後面側に備えられ、前記第１光源から発生する光及び前記第２光源から発生する光の双方を透過して屈折させることを特徴とする請求項１又は２に記載の画像表示装置。
【請求項４】
前記光学手段は、前記第１光源と前記液晶表示パネルとの間、及び、前記第２光源と前記液晶表示パネルとの間に、前記光源毎に対応して各々個別に設けられ、
一方の前記光学手段は、一方の前記光源からの光を透過して左目に届くように屈折させるとともに、他方の前記光学手段は、他方の前記光源からの光を透過して右目に届くように屈折させることを特徴とする請求項１又は２に記載の画像表示装置。
【請求項５】
前記第１光源及び前記第２光源は、３原色の光を発生する発光素子を個別に配置したことを特徴とする請求項１から４のいずれか一つに記載の画像表示装置。
【請求項６】
前記液晶表示パネルに対する駆動信号を生成する制御回路を備え、
前記第１光源と前記液晶表示パネルとの間の光路、及び、前記第２光源と前記液晶表示パネルとの間の光路のいずれとも重ならない位置であって、前記第１光源と前記第２光源との間に形成された空間に、前記制御回路を配置したことを特徴とする請求項１から５のいずれか一つに記載の画像表示装置。
【請求項７】
複数の識別情報が変動表示する表示領域を設けた画像表示装置と、前記識別情報の変動表示を制御する変動表示制御手段とを備え、前記画像表示装置に表示された識別情報を変動表示させる変動表示ゲームを行い、前記変動表示ゲームの結果態様に関連して特定の遊技価値を付与する特別遊技状態を起生可能な遊技機において、
前記画像表示装置は、
後方から照射された光を透過可能な液晶表示パネルと、
特定の偏光である第１の光と、前記第１の光と偏光軸が直交する第２の光とを、前記液晶表示パネルに照射する光源と、
前記光源から放射された光を左右各々の目に到達する方向に屈折させる光学手段と、
前記液晶表示パネルと前記光源との間に配置され、前記第１の光を透過する第１領域と、前記第２の光を透過する第２領域とが、一定方向に繰り返して設けられた縞状フィルタと、
前記液晶表示パネルの通電時又は非通電時のいずれかにおいて、前記液晶表示パネルを透過する光を遮断する偏光特性を有する偏光板と、を備える画像表示装置であって、
前記縞状フィルタは、前記第１領域と前記第２領域とが横方向に繰り返して設けられて成り、
前記光源は、前記第１の偏光の光を発生する第１光源と、前記第２の偏光の光を発生する第２光源とを、前記液晶パネルの略中央部から左右対称な位置に個別に配置して構成し、
前記光学手段は、前記第１光源及び前記第２光源から発生する光を、一方の光源からの光は左目に、他方の光源からの光は右目に届くよう屈折させることを特徴とする遊技機。
【請求項８】
遊技球の入賞によって前記識別情報の変動表示を始動する始動領域と、前記特別遊技状態の起生によって作動する変動入賞装置とを備えるとともに、当該始動領域又は変動入賞装置の少なくとも一方を遊技領域の左右方向の略中央部に配置し、
前記液晶表示パネルを、遊技領域の左右方向の略中央部に配置した前記始動領域又は前記変動入賞装置と左右方向の中心を揃えて配置し、
前記始動領域又は前記変動入賞装置の中心線を含み前記遊技領域と直交する面に対して、前記第１光源が放射する光の方向と前記第２光源が放射する光の方向とが対称となるようにしたことを特徴とする請求項７に記載の遊技機。
【発明の詳細な説明】
【０００１】
【発明が属する技術分野】
本発明は画像表示装置に関し、特に、観察者が特別なメガネをかけることなく立体視することができる三次元画像表示装置に関する。
【０００２】
【従来の技術】
従来三次元画像表示装置は、光源の前面左右に偏光方向が直交する右眼用偏光フィルタ部と左眼用偏光フィルタ部とを配置し、この各フィルタ部を通過した各光をフレネルレンズで平行光として液晶表示素子に照射し、この液晶表示素子の両面の偏光フィルタのそれぞれを、１水平ライン毎に互いに直交する直線偏光フィルタライン部を交互に配置し、且つ、光源側と観察側の対向する直線偏光フィルタライン部を直交する偏光方向とし、液晶表示素子の液晶パネルには２枚の偏光フィルタの透光ラインに合わせて１水平ライン毎に右眼用と左眼用の映像情報を交互に表示する構成であった。また、光源側の偏光フィルタを１水平ライン毎に互いに直交する直線偏光フィルタライン部を交互に配置し、観察側の偏光フィルタを光源側の偏光フィルタの一方の直線偏光フィルタライン部を有する直線偏光フィルタとし、液晶表示素子の液晶パネルには光源側の偏光フィルタの透光ラインに合わせて１水平ライン毎に右眼用と左眼用の映像情報を交互に表示する構成であった（例えば、特許文献１参照。）。
【０００３】
また、所定の入賞口に遊技球が入賞した場合に、パチンコ遊技盤のほぼ中央部に配されたドラムやディスプレイ上に数字や記号あるいは絵柄等を変動表示させ、同じ数字等が揃って停止した場合を大当たりとして、所定数の賞球を行うものがある。この変動表示等を行うディスプレイに表示される画像は、平面的な２次元画像であるが、さらに表示効果を高めるために、鋭い指向性を持つレンティキュラレンズを使って左右の眼に対応する画像情報を提供して、平面画像を立体画像として表示する遊技機が提案されている（例えば、特許文献２参照。）。
【０００４】
【特許文献１】
特開平１０−６３１９９号公報
【特許文献２】
特開平７−３１７２９号公報
【０００５】
【発明が解決しようとする課題】
しかし、前述した従来の画像表示装置では、１水平ライン毎に互いに直交する偏光特性を有する直線偏光フィルタライン部を透過した光を正確に液晶表示素子に照射するために、液晶表示素子に照射される光の縦方向の拡散を抑えていたため、観察者が上下に移動すると、観察者の目に光が届かなくなり、観察者が画像を鮮明に見ることができなくなっていた。
【０００６】
本発明は、観察者が特別なメガネをかけることなく立体視することができる三次元画像表示装置において、観察者が画像を見る位置が上下に移動しても、明るい鮮明な画像が得られる画像表示装置を提供することを目的とする。
【０００７】
【課題を解決するための手段】
第１の発明は、後方から照射された光を透過可能な液晶表示パネルと、特定の偏光である第１の光と、前記第１の光と偏光軸が直交する第２の光とを、前記液晶表示パネルに照射する光源と、前記光源から放射された光を左右各々の目に到達する方向に屈折させる光学手段と、前記液晶表示パネルと前記光源との間に配置され、前記第１の光を透過する第１領域と、前記第２の光を透過する第２領域とが、一定方向に繰り返して設けられた縞状フィルタと、前記液晶表示パネルの通電時又は非通電時のいずれかにおいて、前記液晶表示パネルを透過する光を遮断する偏光特性を有する偏光板と、を備える画像表示装置であって、前記縞状フィルタは、前記第１領域と前記第２領域とが横方向に繰り返して設けられて成り、前記光源は、前記第１の偏光の光を発生する第１光源と、前記第２の偏光の光を発生する第２光源とを、前記液晶パネルの略中央部から左右対称な位置に個別に配置して構成し、前記光学手段は、前記第１光源及び前記第２光源から発生する光を、一方の光源からの光は左目に、他方の光源からの光は右目に届くよう屈折させることを特徴とする。
【０００８】
第２の発明は、第１の発明において、前記第１光源及び第２光源は、縦長形状であることを特徴とする。
【０００９】
第３の発明は、第１又は２の発明において、前記光学手段は、前記液晶パネル後面側に備えられ、前記第１光源から発生する光及び前記第２光源から発生する光の双方を透過して屈折させることを特徴とする。
【００１０】
第４の発明は、第１又は２の発明において、前記光学手段は、前記第１光源と前記液晶表示パネルとの間、及び、前記第２光源と前記液晶表示パネルとの間に、前記光源毎に対応して各々個別に設けられ、一方の前記光学手段は、一方の前記光源からの光を透過して左目に届くように屈折させるとともに、他方の前記光学手段は、他方の前記光源からの光を透過して右目に届くように屈折させることを特徴とする。
【００１１】
第５の発明は、第１から第４の発明において、前記第１光源及び前記第２光源は、３原色の光を発生する発光素子を個別に配置したことを特徴とする。
【００１２】
第６の発明は、第１から第５の発明において、前記液晶表示パネルに対する駆動信号を生成する制御回路を備え、前記第１光源と前記液晶表示パネルとの間の光路、及び、前記第２光源と前記液晶表示パネルとの間の光路のいずれとも重ならない位置であって、前記第１光源と前記第２光源との間に形成された空間に、前記制御回路を配置したことを特徴とする。
【００１３】
第７の発明は、複数の識別情報が変動表示する表示領域を設けた画像表示装置と、前記識別情報の変動表示を制御する変動表示制御手段とを備え、前記画像表示装置に表示された識別情報を変動表示させる変動表示ゲームを行い、前記変動表示ゲームの結果態様に関連して特定の遊技価値を付与する特別遊技状態を起生可能な遊技機において、前記画像表示装置は、後方から照射された光を透過可能な液晶表示パネルと、特定の偏光である第１の光と、前記第１の光と偏光軸が直交する第２の光とを、前記液晶表示パネルに照射する光源と、前記光源から放射された光を左右各々の目に到達する方向に屈折させる光学手段と、前記液晶表示パネルと前記光源との間に配置され、前記第１の光を透過する第１領域と、前記第２の光を透過する第２領域とが、一定方向に繰り返して設けられた縞状フィルタと、前記液晶表示パネルの通電時又は非通電時のいずれかにおいて、前記液晶表示パネルを透過する光を遮断する偏光特性を有する偏光板と、を備える画像表示装置であって、前記縞状フィルタは、前記第１領域と前記第２領域とが横方向に繰り返して設けられて成り、前記光源は、前記第１の偏光の光を発生する第１光源と、前記第２の偏光の光を発生する第２光源とを、前記液晶パネルの略中央部から左右対称な位置に個別に配置して構成し、前記光学手段は、前記第１光源及び前記第２光源から発生する光を、一方の光源からの光は左目に、他方の光源からの光は右目に届くよう屈折させることを特徴とする。
【００１４】
第８の発明は、第７の発明において、遊技球の入賞によって前記識別情報の変動表示を始動する始動領域と、前記特別遊技状態の起生によって作動する変動入賞装置とを備えるとともに、当該始動領域又は変動入賞装置の少なくとも一方を遊技領域の左右方向の略中央部に配置し、前記液晶表示パネルを、遊技領域の左右方向の略中央部に配置した前記始動領域又は前記変動入賞装置と左右方向の中心を揃えて配置し、前記始動領域又は前記変動入賞装置の中心線を含み前記遊技領域と直交する面に対して、前記第１光源が放射する光の方向と前記第２光源が放射する光の方向とが対称となるようにしたことを特徴とする。
【００１５】
【発明の作用および効果】
第１の発明では、後方から照射された光を透過可能な液晶表示パネルと、特定の偏光である第１の光と、前記第１の光と偏光軸が直交する第２の光とを、前記液晶表示パネルに照射する光源と、前記光源から放射された光を左右各々の目に到達する方向に屈折させる光学手段と、前記液晶表示パネルと前記光源との間に配置され、前記第１の光を透過する第１領域と、前記第２の光を透過する第２領域とが、一定方向に繰り返して設けられた縞状フィルタと、前記液晶表示パネルの通電時又は非通電時のいずれかにおいて、前記液晶表示パネルを透過する光を遮断する偏光特性を有する偏光板と、を備える画像表示装置であって、前記縞状フィルタは、前記第１領域と前記第２領域とが横方向に繰り返して設けられて成り、前記光源は、前記第１の偏光の光を発生する第１光源と、前記第２の偏光の光を発生する第２光源とを、前記液晶パネルの略中央部から左右対称な位置に個別に配置して構成し、前記光学手段は、前記第１光源及び前記第２光源から発生する光を、一方の光源からの光は左目に、他方の光源からの光は右目に届くよう屈折させるので、観察者が画像を見る位置を上下に移動しても、明るい鮮明な画像を得ることができる。
【００１６】
第２の発明では、前記第１光源及び第２光源は、縦長形状としたので、筐体の高さ分の光源を効率よく配置することにより、筐体の縦方向を有効に使用することができ、光源の明るさを十分に確保することができる。
【００１７】
第３の発明では、前記光学手段は、前記液晶パネル後面側に備えられ、前記第１光源から発生する光及び前記第２光源から発生する光の双方を透過して屈折させるので、左右の光源に対する光学手段を共通化でき、構造が簡素化され、原価低減が図れる。
【００１８】
第４の発明では、前記光学手段は、前記第１光源と前記液晶表示パネルとの間、及び、前記第２光源と前記液晶表示パネルとの間に、前記光源毎に対応して各々個別に設けられ、一方の前記光学手段は、一方の前記光源からの光を透過して左目に届くように屈折させるとともに、他方の前記光学手段は、他方の前記光源からの光を透過して右目に届くように屈折させるので、光源から放射される光の放射方向を左右の光源別に微調整することができる。
【００１９】
第５の発明では、前記第１光源及び前記第２光源は、３原色の光を発生する発光素子を個別に配置したので、屈折率の異なる各色の光源を効率よく配置し、観察者の左右眼に届くように構成することができる。
【００２０】
第６の発明では、前記液晶表示パネルに対する駆動信号を生成する制御回路を備え、前記第１光源と前記液晶表示パネルとの間の光路、及び、前記第２光源と前記液晶表示パネルとの間の光路のいずれとも重ならない位置であって、前記第１光源と前記第２光源との間に形成された空間に、前記制御回路を配置したので、筐体内に制御回路を効率よく配置することができる。
【００２１】
第７の発明では、複数の識別情報が変動表示する表示領域を設けた画像表示装置と、前記識別情報の変動表示を制御する変動表示制御手段とを備え、前記画像表示装置に表示された識別情報を変動表示させる変動表示ゲームを行い、前記変動表示ゲームの結果態様に関連して特定の遊技価値を付与する特別遊技状態を起生可能な遊技機において、前記画像表示装置は、後方から照射された光を透過可能な液晶表示パネルと、特定の偏光である第１の光と、前記第１の光と偏光軸が直交する第２の光とを、前記液晶表示パネルに照射する光源と、前記光源から放射された光を左右各々の目に到達する方向に屈折させる光学手段と、前記液晶表示パネルと前記光源との間に配置され、前記第１の光を透過する第１領域と、前記第２の光を透過する第２領域とが、一定方向に繰り返して設けられた縞状フィルタと、前記液晶表示パネルの通電時又は非通電時のいずれかにおいて、前記液晶表示パネルを透過する光を遮断する偏光特性を有する偏光板と、を備える画像表示装置であって、前記縞状フィルタは、前記第１領域と前記第２領域とが横方向に繰り返して設けられて成り、前記光源は、前記第１の偏光の光を発生する第１光源と、前記第２の偏光の光を発生する第２光源とを、前記液晶パネルの略中央部から左右対称な位置に個別に配置して構成し、前記光学手段は、前記第１光源及び前記第２光源から発生する光を、一方の光源からの光は左目に、他方の光源からの光は右目に届くよう屈折させるので、画像表示装置の高さ分の光源を効率よく配置することにより、画像表示装置の縦方向を有効に使用することができ、光源の明るさを十分に確保することができる。
【００２２】
第８の発明では、遊技球の入賞によって前記識別情報の変動表示を始動する始動領域と、前記特別遊技状態の起生によって作動する変動入賞装置とを備えるとともに、当該始動領域又は変動入賞装置の少なくとも一方を遊技領域の左右方向の略中央部に配置し、前記液晶表示パネルを、遊技領域の左右方向の略中央部に配置した前記始動領域又は前記変動入賞装置と左右方向の中心を揃えて配置し、前記始動領域又は前記変動入賞装置の中心線を含み前記遊技領域と直交する面に対して、前記第１光源が放射する光の方向と前記第２光源が放射する光の方向とが対称となるようにしたので、左右いずれの方向から見てもバランスよく画像を立体視することができる。
【００２３】
【発明の実施の形態】
以下、本発明の実施の形態について、図面に基づいて説明する。
【００２４】
図１は、本発明の第１の実施の形態の画像表示装置の構成を示す説明図である。
【００２５】
光源８０１ａは、発光素子８１０ａ及び偏光フィルタ８１１ａによって構成され、光源８０１ｂは、発光素子８１０ｂ及び偏光フィルタ８１１ｂによって構成されている。そして、光源８０１ａ及び光源８０１ｂは、液晶表示パネル８０４の略中央部から左右対称の位置に設けられている。発光素子８１０ａ、８１０ｂは、冷陰極管等の線状の光源を垂直に配置したり、白色発光ダイオード等の点状の光源を縦に並べて配置して構成される。偏光フィルタ８１１ａと、偏光フィルタ８１１ｂとは、透過する光の偏光が互いに異なる（例えば、偏光フィルタ８１１ａと偏光フィルタ８１１ｂとで透過する光の偏光を９０度ずらす）ように、その偏光特性が設定されている。
【００２６】
フレネルレンズ８１２は、一側面に同心円上の凹凸を有するレンズ面を有し、微細位相差板８０２の近傍に、微細位相差板８０２と略並行に設けられ、光学手段として機能している。
【００２７】
発光素子８１０ａから放射された光は、偏光フィルタ８１１ａによって一定の偏光の光のみが透過され、発光素子８１０ｂから放射された光は、偏光フィルタ８１１ｂによって、発光素子８１０ａからとは異なる一定の偏光の光のみが透過される。すなわち、発光素子８１０ａ、８１０ｂ及び偏光フィルタ８１１ａ、８１１ｂとによって、特定の異なる偏光の光を発生する光源８０１ａ、８０１ｂが構成される。そして、後述するように、偏光フィルタ８１１ａを通過した光は観察者の左目に到達し、偏光フィルタ８１１ｂを通過した光は観察者の右目に到達するようになっている。
【００２８】
光源８０１ａと光源８０１ｂとが放射する異なった偏光の光はフレネルレンズ８１２に照射される。フレネルレンズ８１２は凸レンズであり、フレネルレンズ８１２では発光素子１０から拡散するように放射された光の光路を略平行に屈折して微細位相差板８０２を透過して、液晶表示パネル８０４を照射する。
【００２９】
このとき、微細位相差板８０２から照射される光は、左右方向に広がることがないように出射され、液晶表示パネル８０４に照射される。すなわち、微細位相差板の特定の領域を透過した光が、液晶表示パネル８０４の特定の表示単位の部分を透過する。
【００３０】
また、液晶表示パネル８０４に照射される光のうち、偏光フィルタ８１１ａを通過した光と偏光フィルタ８１１ｂを通過した光とは、異なる角度でフレネルレンズ８１２に入射し、フレネルレンズ８１２で屈折して液晶表示パネル８０４から左右異なる方向に異なる経路で放射される。
【００３１】
液晶表示パネル８０４は、２枚の透明板（例えば、ガラス板）の間に所定の角度（例えば、９０度）ねじれて配向された液晶が配置されており、例えば、ＴＦＴ型の液晶表示パネルを構成している。液晶表示パネルに入射した光は、液晶に電圧が加わっていない状態では、入射光の偏光が９０度ずらして出射される。一方、液晶に電圧が加わっている状態では、液晶のねじれが解けるので、入射光はそのままの偏光で出射される。
【００３２】
液晶表示パネル８０４の光源１側には、微細位相差板２及び偏光板８０３（第１偏光板）が配置されており、観察者側には、偏光板８０５（第２偏光板）が配置されている。
【００３３】
微細位相差板８０２は、透過する光の位相を変える領域が、微細な間隔で繰り返して配置されている。具体的には、光透過性の基材８２２に、微細な幅の１／２波長板８２１が設けられた領域８０２ａと、、該１／２波長板８２１が設けられていない領域８０２ｂとが微細な間隔で繰り返し設けられている。すなわち、設けられた１／２波長板８２１によって透過する光の位相を変える領域８０２ａと、１／２波長板８２１が設けられていないために透過する光の位相を変えない領域８０２ｂとが微細な間隔で繰り返して設けられている。この１／２波長板８２１は、透過する光の位相を変化させる位相差板として機能している。
【００３４】
１／２波長板８２１は、その光学軸を偏光フィルタ８１１ａを透過する光の偏光軸と４５度傾けて配置して偏光フィルタ８１１ａを透過した光の偏光軸を９０度回転させて出射する。すなわち、偏光フィルタ８１１ａを透過した光の偏光軸を９０度回転させて、偏光フィルタ８１１ｂを透過する光の偏光と等しくする。すなわち、１／２波長板８２１が設けられていない領域８０２ｂは偏光フィルタ８１１ｂを通過した、偏光板８０３と同一の偏光を有する光を透過し、１／２波長板８２１が設けられた領域２ａは、偏光フィルタ８１１ａを通過した、偏光板８０３と偏光軸が直交した光を、偏光板８０３の偏光軸と等しくなるように回転させて出射する。
【００３５】
この微細位相差板８０２の偏光特性の繰り返しは、液晶表示パネル８０４の表示単位と略同一のピッチとして、表示単位毎（すなわち、表示単位の縦方向のライン毎）に透過する光の偏光が異なるようにする。よって、液晶表示パネル８０４の表示単位の垂直ライン（走査線）毎に対応する微細位相差板８０２の偏光特性が異なるようになって、垂直ライン毎に出射する光の方向が異なる。
【００３６】
又は、微細位相差板８０２の偏光特性の繰り返しは、液晶表示パネル８０４の表示単位のピッチの整数倍のピッチとして、微細位相差板８０２の偏光特性が複数の表示単位毎（すなわち、複数の表示単位の垂直ライン毎）に変わるようにして、複数の表示単位毎に透過する光の偏光が異なるように設定する。よって、液晶表示パネル８０４の表示単位の垂直ライン（走査線）の複数本毎に微細位相差板８０２の偏光特性が異なって、垂直ラインの複数本毎に出射する光の方向が異なる。
【００３７】
このように、微細位相差板８０２の偏光特性の繰り返し毎に異なる光を液晶表示パネル８０４の表示素子（垂直ライン）に照射する必要があるため、微細位相差板８０２を透過して液晶表示パネル８０４に照射される光は、左右方向の拡散を抑制したものである必要がある。
【００３８】
すなわち、微細位相差板８０２の光の位相を変化させる領域８０２ａは、偏光フィルタ８１１ａを透過した光を、偏光フィルタ８１１ｂを透過した光の偏光と等しくして透過する。また、微細位相差板８０２の光の位相を変化させない領域８０２ｂは、偏光フィルタ８１１ｂを透過した光をそのまま透過する。そして微細位相差板８０２を出射した光は、偏光フィルタ８１１ｂを透過した光と同じ偏光を有して、液晶表示パネル８０４の光源側に設けられた偏光板８０３に入射する。
【００３９】
偏光板８０３は第１偏光板として機能し、微細位相差板８０２を透過した光と同一の偏光の光を透過する偏光特性を有する。すなわち、偏光フィルタ８１１ｂを透過した光は偏光板８０３を透過し、偏光フィルタ８１１ａを透過した光は偏光軸を９０度回転させられて偏光板８０３を透過する。また、偏光板８０５は第２偏光板として機能し、偏光板８０３と９０度異なる偏光の光を透過する偏光特性を有する。
【００４０】
以上説明した微細位相差板８０２及び偏光板８０３は、貼り合わせて構成されており、特定の偏光の光をそのまま透過する第１領域と、当該特定の偏光の光と直交する偏光の光の偏光軸を９０°回転させて透過する第２領域とが、横方向に繰り返して設けられた縦縞フィルタとして機能する。
【００４１】
このような微細位相差板８０２、偏光板８０３及び偏光板８０５を液晶表示パネル８０４に貼り合わせて、微細位相差板８０２、偏光板８０３、液晶表示パネル８０４及び偏光板８０５を組み合わせて画像表示装置を構成する。このとき、液晶に電圧が加わった状態では、液晶表示パネル８０４の液晶分子が揃った状態にあるので、微細位相差板８０２を透過した光は偏光板８０５を透過する。一方、液晶に電圧が加わっていない状態では、液晶表示パネル８０４の液晶分子が９０度ねじれて配向しているので、微細位相差板８０２を透過した光は偏光が９０度ねじれて液晶表示パネル８０４から出射されるので、偏光板８０５を透過しない。
【００４２】
なお、偏光板８０５の前面側（観察者側）に、液晶表示パネルを透過した光を上下方向に拡散する拡散手段として機能するディフューザを設けてもよい。このディフューザは、レンチキュラーレンズによって構成されており、横方向に延伸した半円状の凹凸（かまぼこ状の凹凸）が、縦方向に繰り返して表面に設けられており、他方の表面は平面となっている。そして、この凹凸面が観察者側に向き、平面が液晶表示パネル８０４側を向くように偏光板８０５の前面に取り付けられる。よって、液晶表示パネル８０４を透過しディフューザに入射した光は、凹凸によって、光の経路が上下に拡散するように屈折されて観察者側に放射される。
【００４３】
図２は、本発明の第１の実施の形態の画像表示装置の光学系を示す平面図である。
【００４４】
図２に示すように、光源８０１ａ（発光素子８１０ａ、偏光フィルタ８１１ａ）、８０１ｂ（発光素子８１０ｂ、偏光フィルタ８１１ｂ）は、筐体８５０内の奥側左右に、両光源の距離を離すように筐体の隅の方に設けられている。筐体８５０内の光源の間には、光源から放射された光の光路と重ならない位置の空間８５１には画像表示装置の表示を制御する表示制御回路が構成された基板８５２が配置されている。この基板が配置される空間は、光源から放射された光の光路と重ならない位置に設けられた壁８５３によって、筐体内の光の光路となる空間と区画されている。
【００４５】
光源８０１ａ、８０１ｂから放射された光は放射状に広がって液晶表示パネル８０４に至る。すなわち、第１光源８０１ａの発光素子８１０ａから放射され偏光フィルタ８１１ａを透過した光（一点鎖線で光路の中心を示す）は、フレネルレンズ８１２に到達し、フレネルレンズ８１２で光の進行方向を変えられて、微細位相差板８０２、偏光板８０３、液晶表示パネル８０４、偏光板８０５を略垂直（やや右側から左側）に透過して左目に至る。
【００４６】
一方、第２光源８０１ｂの発光素子８１０ｂから放射され偏光フィルタ８１１ｂを透過した光（破線で光路の中心を示す）は、フレネルレンズ８１２に到達し、フレネルレンズ８１２で光の進行方向を変えられて、微細位相差板８０２、偏光板８０３、液晶表示パネル８０４、偏光板８０５を略垂直（やや左側から右側）に透過して右目に至る。
【００４７】
このように、光源８０１ａ、８０１ｂから放射された異なる偏光の光を、光学手段としてのフレネルレンズ８１２によって、液晶表示パネル８０４に略垂直に照射するようにしている。すなわち、発光素子８１０ａ及び偏光フィルタ８１１ａ、発光素子８１０ｂ及び偏光フィルタ８１１ｂによって、偏光面が異なる光を異なる経路で液晶表示パネル８０４に照射する光源を構成し、液晶表示パネル８０４を透過した光を異なる経路で出射して、右目又は左目に到達させる。すなわち、液晶表示パネル８０４の走査線ピッチと、微細位相差板８０２の偏光特性の繰り返しピッチとを等しくして、液晶表示パネル８０４の走査線ピッチ毎に異なる方向から到来した光が照射され、異なる方向に光を出射する。
【００４８】
図３は、本発明の第１の実施の形態の画像表示装置から放射される光の経路を説明する図であり、図３（ａ）が、第１光源８０１ａの偏光フィルタ８１１ａを透過して左目に至る光の経路を、図３（ｂ）が、第２光源８０１ｂの偏光フィルタ８１１ｂを透過して右目に至る光の経路を示す。
【００４９】
図３（ａ）に示すように、光源８０１ａ（発光素子８１０ａ、偏光板８１１ａ）から放射された光は、フレネルレンズ８１２を透過して、微細位相差板８０２に到達し、偏光を９０度回転させて出射する（偏光フィルタ８１１ａを透過した光を透過する）微細位相差板８０２の領域８０２ａを透過し、さらに、偏光板８０３、液晶表示パネル８０４、偏光板８０５を透過して、左目に至る。すなわち、液晶表示パネル８０４の領域８０２ａに対応する位置の表示素子によって表示された左目画像が左目に到達する。
【００５０】
この微細位相差板８０２の領域８０２ａと交互に並んで配置されている領域８０２ｂは光の偏光を変化させないので、偏光フィルタ８１１ａからの光は偏光板８０３を透過することなく、液晶表示パネル８０４の領域８０２ｂに対応する位置の表示素子に表示された右目画像は左目に到達しない。
【００５１】
一方、図３（ｂ）に示すように、光源８０１ｂ（発光素子８１０ｂ、偏光板８１１ｂ）から放射された光は、フレネルレンズ８１２を透過して、微細位相差板８０２に到達し、偏光フィルタ８１１ｂと同一の偏光の光を透過する微細位相差板８０２の領域８０２ｂを透過して、液晶表示パネル８０４、偏光板８０５を透過して、右目に至る。すなわち、液晶表示パネル８０４の領域８０２ｂに対応する位置の表示素子によって表示された右目画像が右目に到達する。
【００５２】
この微細位相差板８０２の領域８０２ｂと交互に並んで配置されている領域８０２ａは光の偏光を変化させるので、偏光フィルタ８１１ｂからの光は偏光板８０３を透過することなく、液晶表示パネル８０４の領域８０２ａに対応する位置の表示素子に表示された左目画像は右目に到達しない。
【００５３】
図４は、本発明の実施の形態の画像表示装置の微細位相差板８０２を示す正面図である。
【００５４】
微細位相差板８０２には、光透過性の基板８２２に１／２波長板８２１が設けられており、透過する光の偏光を変える領域が、所定の間隔毎に微細な間隔で繰り返し連続して配置されている。この繰り返し連続して配置される領域に入射する光の偏光は、各々偏光フィルタ８１１ａ、偏光フィルタ８１１ｂで異なり、透過する光の偏光を変える領域では、入射光の偏光軸を９０度回転させて出射する。この微細位相差板８０２の偏光特性の繰り返しは、液晶表示パネル８０４の表示単位と略同ピッチとしてある。
【００５５】
すなわち、偏光フィルタ８１１ａを透過して、微細位相板で偏光軸を９０度回転させられた光と、偏光フィルタ８１１ｂを透過して、微細位相板をそのまま透過した光の偏光軸が等しくなり、これらの光が偏光板８０５を透過する。微細位相差板２の、透過する光の偏光を変える領域と、透過する光の偏光を変えない領域とは、液晶表示パネル４の表示単位の垂直ライン毎に繰り返し連続して配置されているので、微細位相差板２と偏光板８０３とを透過した光は、垂直ライン毎に異なる方向へ向かう同一の偏光の光となる。
【００５６】
なお、前述したように、微細位相差板８０２の偏光特性の繰り返しは、液晶表示パネル８０４の表示単位のピッチの整数倍のピッチとして、微細位相差板８０２の偏光特性が複数の表示単位毎に変わるようにして、複数の表示単位毎に透過する光の偏光が異なるようにしてもよい。
【００５７】
図５は、本発明の実施の形態の画像表示装置の駆動回路を示すブロック図である。
【００５８】
本発明の実施の形態の画像表示装置を駆動するための主制御回路には、ＣＰＵ１１１、プログラムなどを予め格納したＲＯＭ１１２、ＣＰＵ１１１の動作時にワークエリアとして使用されるメモリであるＲＡＭ１１３が設けられている。これらのＣＰＵ１１１、ＲＯＭ１１２及びＲＡＭ１１３はバス１１８によって接続されている。このバス１１８はＣＰＵ１１１がデータの読み書きをするために使用するアドレスバス及びデータバスから構成されている。
【００５９】
また、外部との入出力を司る通信インターフェース１１５、入力インターフェース１１６及び出力インターフェース１１７が、バス１１８に接続されている。通信インターフェース１１５は、所定の通信プロトコルに従ってデータ通信を行うためのデータ入出力部である。入力インターフェース１１６、出力インターフェース１１７は、画像表示装置に表示する画像データを入出力する。
【００６０】
また、バス１１８には、表示制御回路のグラフィック・ディスプレイ・プロセッサ（ＧＤＰ）１５６が接続されている。ＧＤＰ１５６は、ＣＰＵ１１１によって生成された画像データを演算し、ＲＡＭ１５３に設けられたフレームバッファに書き込んで、画像表示装置に対して出力する信号（ＲＧＢ、Ｖ  ＢＬＡＮＫ、Ｖ＿ＳＹＮＣ、Ｈ＿ＳＹＮＣ）を生成する。ＧＤＰ１５６には、ＲＯＭ１５２及びＲＡＭ１５３が接続されており、ＲＡＭ１５３には、ＧＤＰ１５６が動作するためのワークエリア及び表示データを記憶するフレームバッファが設けられている。また、ＲＯＭ１５２には、ＧＤＰ１５６が動作するために必要なプログラム及びデータが記憶されている。
【００６１】
また、ＧＤＰ１５６には、ＧＤＰ１５６にクロック信号を供給する発振器１５８が接続されている。発振器１５８が生成するクロック信号は、ＧＤＰ１５６の動作周期を規定し、ＧＤＰ１５６から出力される同期信号（例えば、Ｖ＿ＳＹＮＣ、Ｖ  ＢＬＡＮＫ）の周期を生成する。
【００６２】
ＧＤＰ１５６から出力されるＲＧＢ信号は、γ補正回路１５９に入力されている。このγ補正回路１５９は、画像表示装置の信号電圧に対する照度の非線形特性を補正して、画像表示装置の表示照度を調整して、画像表示装置に対して出力するＲＧＢ信号を生成する。
【００６３】
合成変換装置１７０は、右目用フレームバッファ、左目用フレームバッファ及び立体視用フレームバッファが設けられており、ＧＤＰ１５６から送られてきた右目用画像を右目用フレームバッファに書き込み、左目用画像を左目用フレームバッファに書き込む。そして、右目用画像と左目用画像とを合成して立体視用画像を生成して立体視用フレームバッファに書き込んで、立体視用画像データをＲＧＢ信号として画像表示装置に出力する。
【００６４】
この右目用画像と左目用画像との合成による立体視用画像の生成は、微細位相差板８０２の１／２波長板８２１の間隔毎に、右目用画像と左目用画像と組み合わせる。具体的には、本実施の形態の画像表示装置の微細位相差板８０２の１／２波長板８２１は液晶表示パネル８０４の表示単位の間隔で配置されているので、液晶表示パネル８０４の表示単位の縦方向ライン（走査線）毎に右目用画像と左目用画像とが交互に表示されるように立体視用画像を表示する。
【００６５】
Ｌ信号出力中にＧＤＰ１５６から送信されてきた左目用画像データを左目用フレームバッファに書き込み、Ｒ信号出力中にＧＤＰ１５６から送信されてきた右目用画像データを右目用フレームバッファに書き込む。そして、左目用フレームバッファに書き込まれた左目用画像データと、右目用フレームバッファに書き込まれた右目用画像データとを走査線一本毎読み出して、立体視用フレームバッファに書き込む。
【００６６】
画像表示装置内には液晶ドライバ（ＬＣＤ  ＤＲＶ）１８１、バックライトドライバ（ＢＬ  ＤＲＶ）１８２が設けられている。液晶ドライバ（ＬＣＤ  ＤＲＶ）１８１は、合成変換装置１７０から送られてきたＶ  ＢＬＡＮＫ信号、Ｖ＿ＳＹＮＣ信号、Ｈ＿ＳＹＮＣ信号及びＲＧＢ信号に基づいて、液晶表示パネルの電極に順次電圧をかけて、液晶表示パネルに立体視用の合成画像を表示する。
【００６７】
バックライトドライバ１８２は、ＧＤＰ１５６から出力されたＤＴＹ＿ＣＴＲ信号に基づいて発光素子（バックライト）１０に加わる電圧のデューティー比を変化させて、液晶表示パネル８０４の明るさを変化させる。
【００６８】
図６は、本発明の第１の実施の形態の変形例の画像表示装置の光学系を示す平面図である。
【００６９】
図６に示すように、光源８０１ａ（発光素子８１０ａ、偏光フィルタ８１１ａ）、８０１ｂ（発光素子８１０ｂ、偏光フィルタ８１１ｂ）は、筐体８５０内の奥側中央部に、両光源が接近するように設けられている。光源８０１ａ、８０１ｂから放射された光は放射状に広がって液晶表示パネル８０４に至る。すなわち、第１光源８０１ａの発光素子８１０ａから放射され偏光フィルタ８１１ａを透過した光（一点鎖線で光路の中心を示す）は、フレネルレンズ８１２に到達し、フレネルレンズ８１２で光の進行方向を変えられて、微細位相差板８０２、偏光板８０３、液晶表示パネル８０４、偏光板８０５を略垂直（やや右側から左側）に透過して左目に至る。
【００７０】
一方、第２光源８０１ｂの発光素子８１０ｂから放射され偏光フィルタ８１１ｂを透過した光（破線で光路の中心を示す）は、フレネルレンズ８１２に到達し、フレネルレンズ８１２で光の進行方向を変えられて、微細位相差板８０２、偏光板８０３、液晶表示パネル８０４、偏光板８０５を略垂直（やや左側から右側）に透過して右目に至る。
【００７１】
このように、光源８０１ａ、８０１ｂから放射された異なる偏光の光を、光学手段としてのフレネルレンズ８１２によって、液晶表示パネル８０４に略垂直に照射するようにしている。すなわち、発光素子８１０ａ及び偏光フィルタ８１１ａ、発光素子８１０ｂ及び偏光フィルタ８１１ｂによって、偏光面が異なる光を異なる経路で液晶表示パネル８０４に照射する光源を構成し、液晶表示パネル８０４を透過した光を異なる経路で出射して、右目又は左目に到達させる。すなわち、液晶表示パネル８０４の走査線ピッチと、微細位相差板８０２の偏光特性の繰り返しピッチとを等しくして、液晶表示パネル８０４の走査線ピッチ毎に異なる方向から到来した光が照射され、異なる方向に光を出射する。
【００７２】
図７は、本発明の第１の実施の形態の変形例の画像表示装置の光源の斜視図である。
【００７３】
発光素子８１０ａ、８１０ｂは、Ｕ字型に形成された発光素子（例えば、Ｕ字型蛍光管）によって構成されている。すなわち、Ｕ字型蛍光管の両側の直線部分によって、右発光素子８１０ａ及び左発光素子８１０ｂが一つの蛍光管によって一体に構成されている。このとき、右発光素子８１０ａと左発光素子８１０ｂとの間の蛍光管の曲がった部分は、光が漏れないように塗装又はテープ等で蛍光管の表面が覆われている。
【００７４】
このように、一つの発光体によって二つの直線状の発光素子（光源）を形成すると、発光素子の特性の差によって左右の光源の明るさに差が生じることがない。特に蛍光管を光源に用いると、経年変化によって明るさ変化のばらつきが大きくなるので、このように配置された発光素子が有効である。
【００７５】
図８は、本発明の第１の実施の形態の変形例の画像表示装置の光学系を示す平面図である。
【００７６】
図８に示す変形例では、図２に示す例と同様に、光源８０１ａ、８０１ｂは筐体８５０内の後側左右に設けられているが、光源８０１ａ、８０１ｂは、各々、赤、緑、青（光の三原色）の発光素子を横方向に並べて配置している。各発光素子から放射された各色の光が、フレネルレンズ８１２に照射される。この発光素子は、内側から青、緑、赤の順に並べて配置されている。すなわち、波長の短い光の方が、フレネルレンズ８１２に対して大きな入射角で入射するように、発光素子が配置されている。
【００７７】
そして、フレネルレンズ８１２に入射した光は屈折されて液晶表示パネル８０４等を透過して、観察者の方向に出射される。この光の出射方向は光の波長によって屈折率が異なる性質を用いて、同一の方向に出射するように、各発光素子の配置位置を調節してある。すなわち、波長の短い青色の光の方が屈折角が小さいので、フレネルレンズ８１２照射された光は大きく屈折することなく、観察者の方に出射される。
【００７８】
図９は、本発明の第２の実施の形態の画像表示装置の構成を示す説明図である。
【００７９】
光源８０１ａは、発光素子８１０ａ、偏光フィルタ８１１ａ及びフレネルレンズ８１２ａによって構成され、光源８０１ｂは、発光素子８１０ｂ、偏光フィルタ８１１ｂ及びフレネルレンズ８１２ｂによって構成されている。そして、光源８０１ａ及び光源８０１ｂは、液晶表示パネル８０４の略中央部から左右対称の位置に設けられている。発光素子８１０ａ、８１０ｂは、冷陰極管等の線状の光源を垂直に配置したり、白色発光ダイオード等の点状の光源を縦に並べて配置して構成される。偏光フィルタ８１１ａと、偏光フィルタ８１１ｂとは、透過する光の偏光が互いに異なる（例えば、偏光フィルタ８１１ａと偏光フィルタ８１１ｂとで透過する光の偏光を９０度ずらす）ように、その偏光特性が設定されている。フレネルレンズ８１２ａ、８１２ｂは、一側面に同心円上の凹凸を有するレンズ面を有し、光学手段として機能している。この偏光フィルタ８１１ａとフレネルレンズ８１２ａとは重ね合わせて配置されており、偏光フィルタ８１１ｂとフレネルレンズ８１２ｂとは重ね合わせて配置されている。そして、偏光フィルタ８１１ａ及びフレネルレンズ８１２ａは光源８１０ａの前面に配置されており、偏光フィルタ８１１ｂ及びフレネルレンズ８１２ｂは光源８１０ｂの前面に配置されている。
【００８０】
発光素子８１０ａから放射された光は、偏光フィルタ８１１ａによって一定の偏光の光のみが透過され、発光素子８１０ｂから放射された光は、偏光フィルタ８１１ｂによって、発光素子８１０ａからとは異なる一定の偏光の光のみが透過される。そして、凸レンズとして機能するフレネルレンズ８１２ａ、８１２ｂによって、発光素子８１０ａ、８１０ｂから拡散するように放射された光の光路を略平行に屈折させられる。すなわち、発光素子８１０ａ、偏光フィルタ８１１ａ及びフレネルレンズ８１２ａによって、特定の偏光の平行光を発生する光源８０１ａが構成される。また、発光素子８１０ｂ、偏光フィルタ８１１ｂ及びフレネルレンズ８１２ｂによって、特定の偏光の平行光を発生する光源８０１ｂが構成される。そして、後述するように、偏光フィルタ８１１ａを通過した光は観察者の左目に到達し、偏光フィルタ８１１ｂを通過した光は観察者の右目に到達するようになっている。
【００８１】
このとき、微細位相差板８０２に照射される光は略平行光なので、左右方向に広がることなく液晶表示パネル８０４にも照射される。すなわち、微細位相差板８０２のある領域を透過した光が、液晶表示パネル８０４の特定の表示単位の部分を透過する。
【００８２】
また、液晶表示パネル８０４に照射される光のうち、偏光フィルタ８１１ａを通過した光と偏光フィルタ８１１ｂを通過した光とは、異なる角度で微細位相差板８０２に入射し、液晶表示パネル８０４を透過して、左右異なる方向に異なる経路で液晶表示パネル８０４から放射される。
【００８３】
液晶表示パネル８０４は、２枚の透明板（例えば、ガラス板）の間に所定の角度（例えば、９０度）ねじれて配向された液晶が配置されており、例えば、ＴＦＴ型の液晶表示パネルを構成している。液晶表示パネルに入射した光は、液晶に電圧が加わっていない状態では、入射光の偏光が９０度ずらして出射される。一方、液晶に電圧が加わっている状態では、液晶のねじれが解けるので、入射光はそのままの偏光で出射される。
【００８４】
液晶表示パネル８０４の光源１側には、微細位相差板８０２及び偏光板８０３（第１偏光板）が配置されており、観察者側には、偏光板８０５（第２偏光板）が配置されている。
【００８５】
微細位相差板８０２は、透過する光の位相を変える領域が、微細な間隔で繰り返して配置されている。具体的には、光透過性の基材８２２に、微細な幅の１／２波長板８２１が設けられた領域８０２ａと、該１／２波長板８２１が設けられていない領域８０２ｂとが微細な間隔で繰り返し設けられている。すなわち、設けられた１／２波長板８２１によって透過する光の位相を変える領域８０２ａと、１／２波長板８２１が設けられていないために透過する光の位相を変えない領域８０２ｂとが微細な間隔で繰り返して設けられている。この１／２波長板８２１は、透過する光の位相を変化させる位相差板として機能している。
【００８６】
１／２波長板８２１は、その光学軸を偏光フィルタ８１１ａを透過する光の偏光軸と４５度傾けて配置して偏光フィルタ８１１ａを透過した光の偏光軸を９０度回転させて出射する。すなわち、偏光フィルタ８１１ａを透過した光の偏光軸を９０度回転させて、偏光フィルタ８１１ｂを透過する光の偏光と等しくする。すなわち、１／２波長板８２１が設けられていない領域８０２ｂは偏光フィルタ８１１ｂを通過した、偏光板８０３と同一の偏光を有する光を透過し、１／２波長板８２１が設けられた領域２ａは、偏光フィルタ８１１ａを通過した、偏光板８０３と偏光軸が直交した光を、偏光板８０３の偏光軸と等しくなるように回転させて出射する。
【００８７】
この微細位相差板８０２の偏光特性の繰り返しは、液晶表示パネル８０４の表示単位と略同一のピッチとして、表示単位毎（すなわち、表示単位の縦方向のライン毎）に透過する光の偏光が異なるようにする。よって、液晶表示パネル８０４の表示単位の垂直ライン（走査線）毎に対応する微細位相差板８０２の偏光特性が異なるようになって、垂直ライン毎に出射する光の方向が異なる。
【００８８】
又は、微細位相差板８０２の偏光特性の繰り返しは、液晶表示パネル８０４の表示単位のピッチの整数倍のピッチとして、微細位相差板８０２の偏光特性が複数の表示単位毎（すなわち、複数の表示単位の垂直ライン毎）に変わるようにして、複数の表示単位毎に透過する光の偏光が異なるように設定する。よって、液晶表示パネル８０４の表示単位の垂直ライン（走査線）の複数本毎に微細位相差板８０２の偏光特性が異なって、垂直ラインの複数本毎に出射する光の方向が異なる。
【００８９】
このように、微細位相差板の偏光特性の繰り返し毎に異なる光を液晶表示パネル８０４の表示素子（垂直ライン）に照射する必要があるため、微細位相差板８０２を透過して液晶表示パネル８０４に照射される光は、左右方向の拡散を抑制したものである必要がある。
【００９０】
すなわち、微細位相差板８０２の光の位相を変化させる領域８０２ａは、偏光フィルタ８１１ａを透過した光を、偏光フィルタ８１１ｂを透過した光の偏光と等しくして透過する。また、微細位相差板８０２の光の位相を変化させない領域８０２ｂは、偏光フィルタ８１１ｂを透過した光をそのまま透過する。そして微細位相差板８０２を出射した光は、偏光フィルタ８１１ｂを透過した光と同じ偏光を有して、液晶表示パネル８０４の光源側に設けられた偏光板８０３に入射する。
【００９１】
偏光板８０３は第１偏光板として機能し、微細位相差板８０２を透過した光と同一の偏光の光を透過する偏光特性を有する。すなわち、偏光フィルタ８１１ｂを透過した光は偏光板８０３を透過し、偏光フィルタ８１１ａを透過した光は偏光軸を９０度回転させられて偏光板８０３を透過する。また、偏光板８０５は第２偏光板として機能し、偏光板８０３と９０度異なる偏光の光を透過する偏光特性を有する。
【００９２】
このような微細位相差板８０２、偏光板８０３及び偏光板８０５を液晶表示パネル８０４に貼り合わせて、微細位相差板８０２、偏光板８０３、液晶表示パネル８０４及び偏光板８０５を組み合わせて画像表示装置を構成する。このとき、液晶に電圧が加わった状態では、液晶表示パネル８０４の液晶分子が揃った状態にあるので、微細位相差板８０２を透過した光は偏光板８０５を透過する。一方、液晶に電圧が加わっていない状態では、液晶表示パネル８０４の液晶分子が９０度ねじれて配向しているので、微細位相差板８０２を透過した光は偏光が９０度ねじれて液晶表示パネル８０４から出射されるので、偏光板８０５を透過しない。
【００９３】
なお、偏光板８０５の前面側（観察者側）に、液晶表示パネルを透過した光を上下方向に拡散する拡散手段として機能するディフューザを設けてもよい。このディフューザは、レンチキュラーレンズによって構成されており、横方向に延伸した半円状の凹凸（かまぼこ状の凹凸）が、縦方向に繰り返して表面に設けられており、他方の表面は平面となっている。そして、この凹凸面が観察者側に向き、平面が液晶表示パネル８０４側を向くように偏光板８０５の前面に取り付けられる。よって、液晶表示パネル８０４を透過しディフューザに入射した光は、凹凸によって、光の経路が上下に拡散するように屈折されて観察者側に放射される。
【００９４】
図１０は、本発明の第２の実施の形態の画像表示装置の光学系を示す平面図である。
【００９５】
第１光源８０１ａの発光素子８１０ａから放射された光（一点鎖線で光路の中心を示す）は、放射状に広がって偏光フィルタ８１１ａ、フレネルレンズ８１２ａに到達し、フレネルレンズ８１２ａで平行光に屈折されて、微細位相差板８０２に到達し、偏光を９０度回転させて出射する（偏光フィルタ８１１ａを透過した光を透過する）微細位相差板８０２の領域８０２ａを透過し、さらに、偏光板８０３、液晶表示パネル８０４、偏光板８０５を略垂直（やや右側から左側）に透過して左目に至る。すなわち、液晶表示パネル８０４の領域８０２ａに対応する位置の表示素子によって表示された左目画像が左目に到達する。
【００９６】
この微細位相差板８０２の領域８０２ａと交互に並んで配置されている領域８０２ｂは、領域８０２ａを透過する光を透過せず、領域８０２ａを透過する光と異なる偏光の光（互いに直交する偏光の光）を透過するので、液晶表示パネル８０４の領域８０２ｂに対応する位置の表示素子に表示された右目画像は左目に到達しない。
【００９７】
一方、第２光源８０１ｂの発光素子８１０ｂから放射された光（破線で光路の中心を示す）は、放射状に広がって偏光フィルタ８１１ｂ、フレネルレンズ８１２ｂに到達し、フレネルレンズ８１２ｂで平行光に屈折されて、微細位相差板８０２に到達し、偏光フィルタ８１１ｂと同一の偏光の光を透過する微細位相差板８０２の領域８０２ｂを透過して、液晶表示パネル８０４、偏光板８０５を略垂直（やや左側から右側）に透過して右目に至る。すなわち、液晶表示パネル８０４の領域８０２ｂに対応する位置の表示素子によって表示された右目画像が右目に到達する。
【００９８】
この微細位相差板８０２の領域８０２ｂと交互に並んで配置されている領域８０２ａは光の偏光を変化させるので、偏光フィルタ８１１ｂからの光は偏光板８０３を透過することなく、液晶表示パネル８０４の領域８０２ａに対応する位置の表示素子に表示された左目画像は右目に到達しない。
【００９９】
このように、発光素子８１０ａ、８１０ｂから放射された異なる偏光の光を、光学手段としてのフレネルレンズ８１２ａ、８１２ｂによって、液晶表示パネル８０４に略垂直に照射するようにしている。すなわち、第１光源８０１ａ（発光素子８１０ａ、偏光フィルタ８１１ａ、フレネルレンズ８１２ａ）、及び、第２光源８０１ｂ（発光素子８１０ｂ、偏光フィルタ８１１ｂ、フレネルレンズ８１２ｂ）によって、偏光面が異なる平行光を異なる経路で液晶表示パネル８０４に照射する光源を構成し、液晶表示パネル８０４を透過した光を異なる経路で出射して、右目又は左目に到達させる。すなわち、液晶表示パネル８０４の走査線ピッチと、微細位相差板８０２の偏光特性の繰り返しピッチとを等しくして、液晶表示パネル８０４の走査線ピッチ毎に異なる方向から到来した光が照射され、異なる方向に光を出射する。
【０１００】
図１１は、本発明の実施の形態の遊技機（カード球貸ユニットを併設したＣＲ機）全体の構成を示す正面図である。
【０１０１】
遊技機（パチンコ遊技機）１の前面枠３は本体枠（外枠）４にヒンジ５を介して開閉回動可能に組み付けられ、遊技盤６は前面枠３の裏面に取り付けられた収納フレームに収納される。
【０１０２】
遊技盤６の表面には、ガイドレールで囲われた遊技領域が形成され、遊技領域のほぼ中央には画像表示装置（特別図柄表示装置）８が設けられるセンターケース１１が配置され、遊技領域の下方には大入賞口を備えた変動入賞装置１０が配置される他、遊技領域には各入賞口１２〜１５、始動口１６、普通図柄表示器７、普通変動入賞装置９等が配置されている。前面枠３には、遊技盤６の前面を覆う前面構成部材としてのカバーガラス１８が取り付けられている。
【０１０３】
画像表示装置８は、ＬＣＤ（液晶表示器）で表示画面が構成されており、前述した第１の実施の形態又は第２の実施の形態の画像表示装置が用いられる。表示画面の画像を表示可能な領域（表示領域）には、複数の変動表示領域が設けられており、各変動表示領域に識別情報（特別図柄、普通図柄）や変動表示ゲームを演出するキャラクタが表示される。すなわち、表示画面の左、中、右に設けられた変動表示領域には、識別情報として割り当てられた図柄（例えば、「０」〜「９」までの数字及び「Ａ」、「Ｂ」の英文字による１２種類の図柄）が変動表示して変動表示ゲームが行われる。その他、表示画面には遊技の進行に基づく画像が表示される。
【０１０４】
画像表示装置８の下方には、普通変動入賞装置（普通電動役物）９を有する始動口１６が、遊技領域の左右の所定の位置には、普通図柄始動ゲート１４が配置される。
【０１０５】
遊技盤上に設けられる画像表示装置８、始動口１６、変動入賞装置１０は、遊技盤中心線に各々の中心を合わせて、遊技盤の縦方向の中心に配置されている。すなわち、画像表示装置８、始動口１６、変動入賞装置１０は、各々の中心が一致するように配置され、各構成の中心は遊技盤の中心と一致している。そして、画像表示装置８の表示面（遊技領域が設けられた遊技盤面）に直交し、画像表示装置８の中心線を含む面（その位置を図２に点線で示す面Ａ）に対して、画像表示装置８の光源８０１ａ及び光源８０１ｂは対称の位置に設けられ、光源８０１ａから放射される光と光源８０１ｂから放射される光とは、前記画像表示装置８の表示面に直交しかつ画像表示装置８の中心線を含む面に対して対象となる方向に放射される。よって、遊技者が遊技機に正対する位置で遊技をすれば、左右いずれの方向から見てもバランスよく画像を立体視することができる。
【０１０６】
本実施の形態の遊技機では、打球発射装置（図示省略）から遊技領域に向けて遊技球（パチンコ球）が打ち出されることによって遊技が行われ、打ち出された遊技球は、遊技領域内の各所に配置された風車等の転動誘導部材１２によって転動方向を変えながら遊技領域を流下し、始動口１６、一般入賞口１５、特別変動入賞装置１０に入賞するか、遊技領域の最下部に設けられたアウト口から排出される。一般入賞口１５への遊技球の入賞は、一般入賞口毎に備えられたＮ個の入賞センサ５１．１〜５１．Ｎ（図１２参照）により検出される。
【０１０７】
始動口１６、一般入賞口１５、特別変動入賞装置（大入賞口）１０に遊技球が入賞すると、入賞した入賞口の種類に応じた数の賞球が払出ユニット（排出装置）から排出され、供給皿２１に供給される。
【０１０８】
始動口１６へ遊技球の入賞があると、画像表示装置８では、前述した数字等で構成される識別情報が順に変動表示する変動表示ゲームが開始し、変動表示ゲームに関する画像が表示される。始動口１６への入賞が所定のタイミングでなされたとき（具体的には、入賞検出時の特別図柄乱数カウンタ値が当たり値であるとき）には大当たり状態となり、三つの表示図柄が揃った状態（大当たり図柄）で停止する。このとき、特別変動入賞装置１０は、大入賞口ソレノイド１０Ａ（図１２参照）への通電により、大入賞口が所定の時間（例えば、３０秒）だけ、遊技球を受け入れない閉状態（遊技者に不利な状態）から遊技球を受け入れやすい開状態（遊技者に有利な状態）に変換される。すなわち、大入賞口が所定の時間だけ大きく開くので、この間遊技者は多くの遊技球を獲得することができるという遊技価値が付与される。
【０１０９】
始動口１６への遊技球の入賞は、特別図柄始動センサ５２（図１２参照）で検出される。この遊技球の通過タイミングによって抽出された特別図柄乱数カウンタ値は、遊技制御装置１００内の所定の記憶領域（特別図柄入賞記憶領域）に、特別図柄入賞記憶として所定回数（例えば、最大で連続した４回分）を限度に記憶される。この特別図柄入賞記憶の記憶数は、画像表示装置８の表示画面の一部に設けられた特別図柄記憶状態表示領域に表示される。遊技制御装置１００は、特別図柄入賞記憶に基づいて、画像表示装置８にて可変表示ゲームを行う。
【０１１０】
特別変動入賞装置１０への遊技球の入賞は、カウントセンサ５４、継続センサ５５（図１２参照）により検出される。
【０１１１】
普通図柄始動ゲート１４への遊技球の通過があると、普通図柄表示器７では、普通図柄（例えば、一桁の数字からなる図柄）の変動表示を始める。普通図柄始動ゲート１４への通過検出が所定のタイミングでなされたとき（具体的には、通過検出時の普通図柄乱数カウンタ値が当たり値であるとき）には、普通図柄に関する当たり状態となり、普通図柄が当たり図柄（当たり番号）で停止する。このとき、始動口１６の手前に設けられた普通変動入賞装置９は、普通電動役物ソレノイド９Ａ（図１２参照）への通電により、始動口１６への入口が所定の時間（例えば０．５秒）だけ拡開するように変換され、遊技球の始動口１６への入賞可能性が高められる。
【０１１２】
普通図柄始動ゲート１４への遊技球の通過は、普通図柄始動センサ５３（図１２参照）で検出される。この遊技球の通過タイミングによって抽出された普通図柄乱数カウンタ値は、遊技制御装置１００内の所定の記憶領域（普通図柄入賞記憶領域）に、普通図柄入賞記憶として所定回数（例えば、最大で連続した４回分）を限度に記憶される。この普通図柄入賞記憶の記憶数は変動入賞装置１０の右側に設けられた所定数のＬＥＤからなる普通図柄記憶状態表示器１９に表示される。遊技制御装置１００は普通図柄入賞記憶に基づいて、普通図柄に関する当たりの抽選を行う。
【０１１３】
遊技機の要所には、装飾用ランプ、ＬＥＤ等の装飾発光装置が設けられる。すなわち、遊技盤中央部に設けられたセンターケース１１、遊技盤下部に設けられたアタッカー（変動入賞装置１０の周囲）には、遊技の進行に応じて発光する装飾ランプが設けられている。さらに、遊技盤の左右上部にはサイドケースランプが、遊技盤の左右側部にはサイドランプ３３が設けられている。また、遊技枠には遊技枠装飾ランプが設けられている。これらのランプは遊技の進行に合わせて点灯して、遊技者の遊技に対する興趣が継続するようにしている。また、カバーガラス１８の上部の前面枠３には、点灯により球の排出の異常等の状態を報知する第１報知ランプ３１、第２報知ランプ３２が設けられている。
【０１１４】
前面枠３の下部の開閉パネル２０には球を打球発射装置に供給する上皿２１が、固定パネル２２には下皿２３及び打球発射装置の操作部２４等が配置される。また、音出力装置（スピーカ）が設けられる。
【０１１５】
カード球貸ユニット２用の操作パネル２６は遊技機１の上皿２１の外面に形成され、カードの残高を表示するカード残高表示部（図示省略）、球貸しを指令する球貸しスイッチ２８、カードの返却を指令するカード返却スイッチ３０等が設けられている。
【０１１６】
カード球貸ユニット２には、前面のカード挿入部２５に挿入されたカード（プリペイドカード等）のデータの読込、書込等を行うカードリーダライタと球貸制御装置が内蔵される。
【０１１７】
図１２は、本発明の実施の形態の遊技機の遊技制御装置１００を中心とする制御系の一部を示すブロック図である。
【０１１８】
遊技制御装置１００は、遊技を統括的に制御する主制御装置であり、遊技制御を司るＣＰＵ、遊技制御のための不変の情報を記憶しているＲＯＭ及び遊技制御時にワークエリアとして利用されるＲＡＭを内蔵した遊技用マイクロコンピュータ１１１、入力インターフェース１１２、出力インターフェース１１３、発振器１０４等から構成される。
【０１１９】
遊技用マイクロコンピュータ１１１は、入力インターフェース１１２を介しての各種検出装置（一般入賞口センサ５１．１〜５１．Ｎ、特別図柄始動センサ５２、普通図柄始動センサ５３、カウントセンサ５４、継続センサ５５）からの検出信号を受けて、大当たり抽選等、種々の処理を行う。そして、出力インターフェース１１３を介して、各種制御装置（演出制御装置１５０、排出制御装置２００、装飾制御装置２５０、音制御装置３００）、普通図柄表示器７、普通電動役物ソレノイド９Ａ、大入賞口ソレノイド１０Ａ等に指令信号を送信して、遊技を統括的に制御する。
【０１２０】
排出制御装置２００は、遊技制御装置１００からの賞球指令信号に基づいて、払出ユニットの動作を制御し賞球を排出させる。また、カード球貸ユニット２からの貸球要求に基づいて、払出ユニットの動作を制御し貸球を排出させる。
【０１２１】
装飾制御装置２５０は、遊技制御装置１００からの指令信号に基づいて、装飾用ランプ、ＬＥＤ等の装飾発光装置（センターケース１１内の装飾ランプ、アタッカー内の装飾ランプ、サイドランプ３３、サイドケースランプ、遊技枠装飾ランプ、報知ランプ３１等）を制御する、また、普通図柄入賞記憶表示器１９の表示を制御して、ランプ制御装置として機能する。
【０１２２】
音制御装置３００は、スピーカから出力される効果音を制御して、音制御装置として機能する。
【０１２３】
なお、遊技制御装置１００から、各種従属制御装置（演出制御装置１５０、排出制御装置２００、装飾制御装置２５０、音制御装置３００）への通信は、遊技制御装置１００から従属制御装置に向かう単方向通信のみが許容されるようになっている。これにより、遊技制御装置１００に従属制御装置側から不正な信号が入力されることを防止することができる。
【０１２４】
遊技機の電源装置（図示省略）は、電源回路のほかに、バックアップ電源部と停電監視回路とを備えている。停電監視回路は、電源装置の所定の電圧降下を検出すると、遊技制御装置１００等に対して停電検出信号とリセット信号とを順に出力する。遊技制御装置１００は、停電検出信号を受けると所定の停電処理を行い、リセット信号を受けるとＣＰＵの動作を停止する。バックアップ電源部は、遊技制御装置１００等のＲＡＭにバックアップ電源を供給して、遊技データ（遊技情報、遊技制御情報：変動表示ゲーム情報を含む）等をバックアップする。
【０１２５】
演出制御装置１５０は、画像の表示制御を行うもので、遊技制御装置１００及び合成変換装置１７０と共に演出制御手段として機能する。この演出制御装置１５０は、ＣＰＵ１５１、ＶＤＣ（Ｖｉｄｅｏ  Ｄｉｓｐｌａｙ  Ｃｏｎｔｒｏｌｌｅｒ）１５６、ＲＡＭ１５３、インターフェース１５５、プログラム等を格納したＲＯＭ１５２、画像データ（図柄データ、背景画データ、動画キャラクタデータ、テクスチャデータ等）を格納したフォントＲＯＭ１５７、同期信号やストローブ信号を発生させるクロック信号を生成する発振器１５８等から構成される。
【０１２６】
ＣＰＵ１５１は、ＲＯＭ１５２に格納したプログラムを実行し、遊技制御装置１００からの信号に基づいて所定の変動表示ゲームのための画像制御情報（スプライトデータやポリゴンデータ等で構成される図柄表示情報、背景画面情報、動画オブジェクト画面情報等）を演算して右眼用画像信号と左眼用画像信号とを交互に生成するようにＶＤＣ１５６に指示する。この右眼用画像信号と左眼用画像信号との生成タイミングに合わせてＬ／Ｒ信号が生成され、生成されている画像信号が右眼用画像信号なのか左眼用画像信号なのかが識別可能なようになっている。
【０１２７】
ＶＤＣ１５６は、フォントＲＯＭ１５７に格納された画像データ及びＣＰＵ１５１により画像制御情報を演算した内容に基づいて、例えば、画像のポリゴン描画（または、通常のビットマップ描画）を行うとともに、各ポリゴンに所定のテクスチャを貼り付けてフレームバッファとしてのＲＡＭ１５３に格納する。そして、ＶＤＣ１５６は、ＲＡＭ１５３の画像を所定のタイミング（垂直同期信号Ｖ＿ＳＹＮＣ、水平同期信号Ｈ＿ＳＹＮＣ）でＬＣＤ側（合成変換装置１７０）へ送信する。
【０１２８】
ＶＤＣ１５６が行う描画処理は、点描画、線描画、トライアングル描画、ポリゴン描画を行い、さらにテクスチャマッピング、アルファブレンディング、シェーディング処理（グローシェーディングなど）、陰面消去（Ｚバッファ処理など）を行って、γ補正回路１５９を介して画像信号を合成変換装置１７０に出力する。
【０１２９】
なお、ＶＤＣ１５６は、描画した画像データをフレームバッファとしてのＲＡＭ１５３へ一旦格納した後、同期信号（Ｖ＿ＳＹＮＣなど）に合わせて合成変換装置１７０へ出力してもよい。
【０１３０】
ここで、フレームバッファは、複数のフレームバッファをそれぞれＲＡＭ１５３の所定の記憶領域などに設定しておき、ＶＤＣ１５６は、任意の画像に重ね合わせて（オーバーレイ）出力することも可能である。
【０１３１】
ＶＤＣ１５６には、クロック信号を供給する発振器１５８が接続されている。発振器１５８が生成するクロック信号は、ＶＤＣ１５６の動作周期を規定し、ＶＤＣ１５６から出力される信号、例えば、垂直同期信号（Ｖ＿ＳＹＮＣ）と、水平同期信号（Ｈ＿ＳＹＮＣ）を生成し、合成変換装置１７０及び画像表示装置８へ出力される。
【０１３２】
ＶＤＣ１５６から出力されるＲＧＢ信号は、γ補正回路１５９に入力されている。このγ補正回路１５９は、画像表示装置８の信号電圧に対する照度の非線形特性を補正して、画像表示装置８の表示照度を調整して、画像表示装置８に対して出力するＲＧＢ信号を生成する。
【０１３３】
また、演出制御装置１５０のＣＰＵ１５１は、発振器１５８のクロック信号に基づいて、合成変換装置１７０へ出力する画像データ（ＲＧＢ）が、左目用の画像又は右目用の画像の何れであるかを識別するＬ／Ｒ信号を出力する。
【０１３４】
さらに、ＣＰＵ１５１は、変動表示の状態（例えば、通常の変動表示ゲームか、大当たり中の表示か等）や遊技の状態に基づいて、画像表示装置８の輝度（バックライトの発光量）を制御するため、デューティ制御信号ＤＴＹ＿ＣＴＲを発振器１５８のクロック信号に基づいて生成し、画像表示装置８へ出力する。
【０１３５】
合成変換装置１７０は、ＣＰＵ１５１から出力されたＬ／Ｒ信号に基づいて、ＶＤＣ１５６から送られてきた画像信号が右眼用画像信号なのか左眼用画像信号なのかを判定する。また、合成変換装置１７０には、右目用フレームバッファ、左目用フレームバッファ及び立体視用フレームバッファが設けられており、判定された右目用画像信号を右目用フレームバッファに書き込み、左目用画像信号を左目用フレームバッファに書き込む。そして、右目用画像と左目用画像とを合成して立体視用画像を生成して、立体視用画像信号を立体視用フレームバッファに書き込んで、立体視用画像データをＲＧＢ信号として画像表示装置８に出力する。
【０１３６】
前述したように、この右目用画像と左目用画像とが合成された立体視用画像信号によって、液晶表示器の表示単位の縦方向ライン（走査線）毎に右目用画像と左目用画像とが交互に表示されるように立体視用画像を表示する。
【０１３７】
具体的には、立体視用画像情報（表示オブジェクト）の奥行き情報に基づいて、右目用画像と左目用画像とで視差をつけて生成される。ポリゴン描画の場合には、左目用視点と右目用視点とでレンダリングされてそれぞれ右目用画像と左目用画像とが生成される。スプライトデータを用いる場合には、視差分だけ左右方向にずらして描画される。
【０１３８】
このように、左目用画像と右目用画像とが交互に生成されて、左目用画像は左目用フレームバッファに、右目用画像は右目用フレームバッファに格納される。すなわち、Ｌ信号出力中にＶＤＣ１５６から送信されてきた左目用画像データを左目用フレームバッファに書き込み、Ｒ信号出力中にＶＤＣ１５６から送信されてきた右目用画像データを右目用フレームバッファに書き込む。そして、左目用フレームバッファに書き込まれた左目用画像データと、走査線一本毎に右目用フレームバッファに書き込まれた右目用画像データとを読み出して、立体視用フレームバッファに書き込む。
【０１３９】
ＣＰＵ１５１、ＶＤＰ１５６及び合成変換装置１７０が以上説明したように機能することによってにて、左目用画像と右目用画像とが生成され、その表示位置によって両眼視差が生じ、画像を三次元立体像として認識させるように表示制御することで表示位置制御手段が構成される。
【０１４０】
画像表示装置８内には液晶ドライバ（ＬＣＤ  ＤＲＶ）１８１、バックライトドライバ（ＢＬ  ＤＲＶ）１８２が設けられている。液晶ドライバ１８１は、合成変換装置１７０から送られてきたＶ＿ＳＹＮＣ信号、Ｈ＿ＳＹＮＣ信号及びＲＧＢ信号に基づいて、液晶表示パネル８０４の電極に順次電圧をかけて、画像表示装置８に立体視用の合成画像を表示する。
【０１４１】
バックライトドライバ１８２は、ＶＤＣ１５６から出力されたＤＴＹ＿ＣＴＲ信号に基づいてバックライトに加わる電圧のデューティー比を変化させて、画像表示装置８の明るさを変化させる。
【０１４２】
すなわち、遊技制御装置１００は、遊技領域に打ち出された遊技球が始動口１６に入賞すると、所定の乱数（特別図柄乱数、大当たり乱数）を抽出し、記憶する。そして、遊技制御装置１００では、演出制御装置１５０に変動表示を指令する表示制御指令信号を編集して、該編集した表示制御指令信号を送信する。演出制御装置１５０のＣＰＵ１５１は、表示制御指令信号を受信すると、フォントＲＯＭ１５７（記憶手段）から該表示制御指令信号に対応する表示画像データを読み出して、ＶＤＣ１５６、合成変換装置１７０と協働して、画像表示装置８に表示する表示データを生成する。このように、遊技制御装置１００が機能することによって抽選手段及び遊技制御手段が構成される。また、演出制御装置１５０及び合成変換装置１７０が機能することによって演算手段が構成される。
【０１４３】
遊技制御装置１００からの演出制御指令信号を受信するインターフェース１５５の手前には、信号伝達方向規制手段であるバッファ回路１６０が設けられ、遊技制御装置１００から演出制御装置１５０への信号入力のみが許容され、演出制御装置１５０から遊技制御装置１００への信号出力を禁止している。なお、遊技制御装置１００と演出制御装置１５０との間で双方向通信を行う場合には、バッファ回路１６０に双方向バッファを用いることもできる。
【０１４４】
ＬＥＤ３４は、このＬＥＤは三次元立体画像の表示中に点灯され、ＣＰＵ１５１によって制御されて、ドライバ１６１を介してＬＥＤ３４に電圧が印加されることによって点灯／消灯をする。すなわち、画像表示装置８に立体視可能な画像が表示されているときに、表示態様を変えて（例えば、点灯したり、発光色を変えたりする）、立体視可能な表示をしていることを遊技者に報知する。
【０１４５】
なお、ＬＥＤ３４の点灯によって、画像表示装置８の手前側に奥行き感を持たせる補助表示をすることによって、遊技者の立体視を補助するように構成することもできる。
【０１４６】
以上説明した実施の形態では、装飾制御装置２５０及び音制御装置３００と演出制御装置１５０とを別個に設けたが、従属制御装置のうち、装飾制御装置２５０及び音制御装置３００を演出制御装置１５０に含めて、装飾制御装置２５０、及び音制御装置３００を演出制御装置１５０と一体に構成してもよい。
【０１４７】
今回開示した実施の形態は、全ての点で例示であって制限的なものではない。本発明の範囲は上記した発明の説明ではなくて特許請求の範囲によって示され、特許請求の範囲と均等の意味及び内容の範囲での全ての変更が含まれることが意図される。
【図面の簡単な説明】
【図１】本発明の第１の実施の形態の画像表示装置の構成図である。
【図２】本発明の第１の実施の形態の画像表示装置の光学系の平面図である。
【図３】本発明の第１の実施の形態の画像表示装置から放射される光の経路の説明図である。
【図４】本発明の第１の実施の形態の画像表示装置の微細位相差板の正面図である。
【図５】本発明の第１の実施の形態の画像表示装置の駆動回路のブロック図である。
【図６】本発明の第１の実施の形態の変形例の画像表示装置の光学系の平面図である。
【図７】本発明の第１の実施の形態の変形例の画像表示装置の光源の斜視図である。
【図８】本発明の第１の実施の形態の変形例の画像表示装置の光学系の平面図である。
【図９】本発明の第２の実施の形態の画像表示装置の構成の一部を示す図である。
【図１０】本発明の第２の実施の形態の画像表示装置のディフューザの断面図である。
【図１１】本発明の実施の形態の遊技機全体の構成を示す正面図である。
【図１２】本発明の実施の形態の遊技機の制御系のブロック図である。
【符号の説明】
１    遊技機
８    画像表示装置
１００    遊技制御装置
１５０    演出制御装置
８０１    光源
８１０    発光素子
８１１    偏光フィルタ
８１２    フレネルレンズ
８１３    反射板
８０２    微細位相差板
８０３    偏光板（第１偏光板）
８０４    液晶表示パネル
８０５    偏光板（第２偏光板）
【図１】
2004233462.tif 000003
【図２】
2004233462.tif 000004
【図３】
2004233462.tif 000005
【図４】
2004233462.tif 000006
【図５】
2004233462.tif 000007
【図６】
2004233462.tif 000008
【図７】
2004233462.tif 000009
【図８】
2004233462.tif 000010
【図９】
2004233462.tif 000011
【図１０】
2004233462.tif 000012
【図１１】
2004233462.tif 000013
【図１２】
2004233462.tif 000014